(57)【要約】【課題】  デジタルカメラとコンピュータをＵＳＢや無線接続しライブビュー画像を取得する際、通信速度が低下する状況において、リモートライブビュー表示のコマ落ちが少なく、より正確にリモートライブビュー画面にフォーカス領域を表示出来る機能を提供すること。【解決手段】  デジタルカメラとコンピュータを接続して行うリモート撮影時のコンピュータ側のライブビュー表示画面にフォーカス領域を表示するフォーカスマスク表示制御において、コントラスト評価に伴うリモートライブビュー表示の速度低下を抑えるため、評価対象のライブビュー画像を間引いて評価する。通信帯域による通信速度の増減に合わせてコントラスト評価対象のまた、フォーカス領域の検出精度を上げるために、デジタルカメラから受け取ったライブビュー画像を複数枚から差分を取ってフォーカスマスクの表示を行い、検出精度を向上させること。【選択図】  図１
2012099888.tif 000002
【特許請求の範囲】
【請求項１】
コンピュータ４０と撮影装置を接続し、リモートでの撮影に係る情報を表示する画面と、ライブビュー表示する画面（ディスプレイ４１）とを有し、ライブビュー表示用の画面にライブビュー画像（３２１）をコントラスト評価しフォーカス領域をライブビュー画像と共に表示する画面とを備える撮影装置において、ライブビューを表示する手段（３１１）と、オーバーレイ画像をライブビュー表示に重ね合わせて表示する手段（３１１）、オートフォーカスを開始および終了する手段（３１２）、マニュアルでのフォーカス調整をする手段（３１３）、フォーカス領域表示の有効、無効を切り替える手段（３１５）、フォーカス領域の表示（３３３）を行うための設定を変更する手段（図４）とを有し、フォーカスマスク情報またはデジタルカメラ２から情報を取得し、フォーカス領域の表示設定に応じてフォーカス領域の表示（３１３）の形態を変更する手段（図５）を有することを特徴とする撮影装置。
【請求項２】
デジタルカメラ２とコンピュータ４０間の通信状況を判断し、コントラスト評価対象とするライブビュー画像を自動で判定し、コンピュータ４０側のライブビュー表示更新の低下を軽減することを特徴とする請求項１に記載の撮影装置。
【請求項３】
デジタルカメラ２とコンピュータ４０間の通信状況を判断し、複数のコントラスト評価結果と合わせて、コンピュータ４０側のライブビュー画面上に重ねあわせ表示するフォーカス領域（３３３）の精度を向上することを特徴とする請求項１に記載の撮影装置。撮影装置。
【発明の詳細な説明】
【技術分野】
【０００１】
本発明は、リモート制御でのライブビュー表示可能な撮影装置に関し、特にリモートライブビュー撮影時のフォーカス状況確認の補助表示制御に関するものである。
【背景技術】
【０００２】
従来、スタジオでの商品撮影などにおいて、コンピュータとデジタルカメラをＵＳＢや無線で接続し、デジタルカメラの背面液晶画面に表示されるライブビュー表示をコンピュータのディスプレイに拡大表示し、遠隔制御で撮影するリモートライブビュー撮影手法を用いて撮影を行う場合がある。フォーカス確認を迅速に行い被写体の撮影準備をより簡便に行うことを可能とするため、リモートライブビュー表示画面の画像表示にフォーカス領域を着色してピントを確認しやすくする機能（フォーカスマスク表示）がある。
【０００３】
たとえばピントの確認やライブビュー表示を確認しながら撮影準備を進める状況において、リモートライブビュー表示画面にフォーカスマスク表示をおこなう場合、カメラからコンピュータにＵＳＢや無線を介して転送されたライブビュー画像をコンピュータ側でコントラスト評価し、ある一定のしきい値を超えたコントラスト領域を検出して、検出したコントラスト値によって着色する。
【０００４】
例えば、特許文献１ではカメラ本体におけるフォーカスマスク表示制御について開示されている。
【先行技術文献】
【特許文献】
【０００５】
【特許文献１】特開平６−１１３１８３号公報
【発明の概要】
【発明が解決しようとする課題】
【０００６】
しかしながら、上述の特許文献に開示された従来技術では、リモートライブビュー画面にフォーカスマスク表示を行う場合、通信速度の状態や受け取ったコンピュータの処理速度によってライブビュー表示にひどいコマ落ち表示が発生してしまう。また、フォーカスマスク表示のためのコントラスト評価を１枚のライブビュー画像から行うと、対象物背景が草むらなど一定時間に細かく動作して変化するような状況ではコントラスト領域の検出に影響され、フォーカス領域の検出精度が落ちてしまう問題が発生する。
【０００７】
そこで、本発明の目的は、リモートライブビュー表示においてフォーカス領域算出方法を高速化し、さらにフォーカスしている箇所の精度を向上することを可能にして、より簡便に撮影者がリモートライブビュー画面のフォーカス状況を視認しやすくするための方法を提供することである。
【課題を解決するための手段】
【０００８】
上記目的を達成するために、本発明は、
コンピュータ４０と撮影装置を接続し、リモートでの撮影に係る情報を表示する画面と、ライブビュー表示する画面（ディスプレイ４１）とを有し、ライブビュー表示用の画面にライブビュー画像（３２１）をコントラスト評価しフォーカス領域をライブビュー画像と共に表示する画面とを備える撮影装置において、ライブビューを表示する手段（３１１）と、オーバーレイ画像をライブビュー表示に重ね合わせて表示する手段（３１１）、オートフォーカスを開始および終了する手段（３１２）、マニュアルでのフォーカス調整をする手段（３１３）、フォーカス領域表示の有効、無効を切り替える手段（３１５）、フォーカス領域の表示（３３３）を行うための設定を変更する手段（図４）とを有し、フォーカスマスク情報またはデジタルカメラ２から情報を取得し、フォーカス領域の表示設定に応じてフォーカス領域の表示（３１３）の形態を変更する手段（図５）を有することを特徴とする撮影装置である。
【発明の効果】
【０００９】
本発明によれば、リモートライブビュー画面の表示更新に重大なコマ落ちが発生せず、撮影者にとってストレス無く、より正確なリモートライブビュー画面のフォーカス状況を視認しやすくするための方法を提供することができる。
【図面の簡単な説明】
【００１０】
【図１】本発明に係るデジタルカメラの一実施の形態を示すシステム構成図である。
【図２】本発明に係るデジタルカメラの構成を示すブロック構成図である。
【図３】リモートライブビュー画面へのフォーカスマスク表示の制御形態を示す図である。
【図４】リモートライブビュー画面へのフォーカスマスク表示の設定画面である。
【図５】本発明に係るデジタルカメラの制御方法の制御手順を示すフローチャート。
【発明を実施するための形態】
【００１１】
以下に、本発明の好ましい実施の形態を、添付の図面に基づいて詳細に説明する。図１は、本発明の実施形態にかかわるシステム構成図である。
【００１２】
［実施例１］
以下に、本発明の形態を示す実施例１を表す。
【００１３】
図１に交換レンズ式のデジタルカメラの概略図を示す。
【００１４】
交換可能なレンズ１は、一般的に、焦点距離を可変するためのズームレンズ１１、明るさを制御するための絞り機構１２、被写体にピントを合わせるためのフォーカスレンズ１３を有している。また、この交換式レンズ１は、レンズ側のマウント１４がデジタルカメラ２のマウント部２７と機械的に接合することができる様になっている。デジタルカメラ２は、レンズを通過してきた光を２１のハーフミラーで反射させ、ピント板２４の位置で結像させる。ピント板２４で結像した光は、プリズム２５で反転され、接眼レンズ２６を通して正立像として観測できる。
【００１５】
また、撮影時には、ハーフミラー２１が跳ね上がり、シャッター２２が開き、レンズ１を通過してきた光が、撮像素子２３に結像する。
【００１６】
交換可能なレンズ１のマウント部１４には、接点群１５が組み込まれている。この接点群１５は、デジタルカメラ本体から、電源を供給し、通信を行うための接点（不図示）である。接点群１５としては、電源、グランド、送信、受信、クロックなどの用途にそれぞれ分かれている。
【００１７】
この交換可能なレンズ１のマウント部１４は、デジタルカメラ２のマウント部２７と接合することによって、マウント部１４にある接点群１５とマウント部２７にある接点群２８の中の接続端子が各々つながる。
【００１８】
その結果、接続端子を経由してデジタルカメラ２から、交換可能なレンズ１に電源が供給され、交換可能なレンズ１とデジタルカメラ２の間で通信が開始される。
【００１９】
次に、図２にデジタルカメラ２の内部の構成について示す。
【００２０】
撮像素子２３は、ＣＣＤやＣＭＯＳのようなセンサーであり、撮像素子２３に結像した光は、撮像素子２３内の各画素において，入射光量に応じた量の電荷に変換される。
【００２１】
タイミングジェネレータ３２が発生させる信号は、撮像素子２３を駆動し、センサーに蓄積した電荷を伝送し、順次電圧信号に変換される。
【００２２】
前記変換された電圧信号は、相関二重サンプリング３０（以下ＣＤＳと呼ぶ）でサンプリングされ，Ａ／Ｄ変換器３１でデジタル信号に変換される。
【００２３】
デジタル信号に変換された画像データは、ＩＣ３３に入力され、まず、前記データに対してホワイトバランスのためのデータを算出するためのＷＢ回路３３ａに入り、３５のメモリー１にいったん格納される。
【００２４】
３５のメモリー１に格納されたデータは、再びＩＣ３３に入力され、３つの画像処理を施される。
【００２５】
まず、デジタル信号に変換された画像データは、そのままロスレス圧縮（可逆圧縮）をかけるロスレス圧縮回路３３ｄにおいてロスレス圧縮されたＲＡＷデータに変換されＣＰＵバス３４に送り出される。
【００２６】
また、デジタル信号に変換された画像データは、例えば図２のようにＲＡＷデータをブロック内平均したりローパスフィルタをかけたりして帯域を落とし、そこから間引くことによってダウンサンプリングされ、元の画像サイズより小さいサムネイル画像に変換されるためにＲＡＷサムネイル回路３３ｃで間引き処理され、ＣＰＵバス３４に送られる。
【００２７】
最後に、ｊｐｅｇ圧縮するための画像を作るために、画像処理回路３３ｂにおいて画像処理を施され、その結果出力されるＹｃｂＣｒは、ラスタブロック変換されて、ｊｐｅｇ圧縮回路３３ｅでｊｐｅｇ圧縮をされて、ＣＰＵバス３４に送られる。
【００２８】
ＣＰＵ３６は、電源が投入された直後、３７のメモリー２内部のプログラムに従い、デジタルカメラ２を初期化し、交換レンズと通信を開始する。
【００２９】
また、ＣＰＵは、撮影された画像データでＣＰＵバス３４に出力された画像データを一度３５のメモリー１に格納し、インターフェース回路３８を介して外部メモリー３９に最終的に書き込む。
【００３０】
ＣＰＵ３６につながるスイッチ４０は、レリーズスイッチであり、スイッチ４０を押すことによって、上記の撮影の動作が行われ、外部メモリー３９に画像が書き込まれる。
【００３１】
また、ライブビュー表示時には、ハーフミラー２１が跳ね上げ、シャッター２２を開き、レンズ１を通過してきた光が、撮像素子２３に結像する。撮影された画像データを３７のメモリー２に保存し、デジタルカメラ２に設置される背面ディスプレイへライブビュー表示を行う。ライブビュー表示は撮影された画像を一定間隔で更新し、光学ファインダーを通して行う撮影対象の確認を代替する。
【００３２】
次に、本発明の外部インターフェースを介してコンピュータと接続したデジタルカメラにおけるフォーカスマスク表示の制御方法を説明する。
【００３３】
外部インターフェースとコンピュータの接続形態はＵＳＢや無線接続等データの受け渡しが可能なものであれば何でも良い
リモートライブビュー表示画像とフォーカスマスク表示との重ね合わせ表示は、コンピュータ４０と接続されるディスプレイ４１に表示する。
【００３４】
図３ａはコンピュータ４０と接続したディスプレイ４１へリモートライブビュー表示している操作・表示パネル３１０である。コンピュータと接続したデジタルカメラがライブビューを開始し、デジタルカメラからライブビュー画像がコンピュータ４０へ送られ、操作・表示パネル３１０に設置されるライブビュー表示画面３１１にライブビュー表示がなされる（リモーライブビュー撮影手法）。
【００３５】
そのほか、遠隔操作でデジタルカメラのオートフォーカスを行うためのオートフォーカス操作部材３１２が設置されており、操作部材３１２に設置されている、オートフォーカスＯＮボタンを操作しオートフォーカスを行い、オートフォーカスＯＦＦボタンを操作しオートフォーカスを中断する。
【００３６】
無限方向及び至近方向へユーザがマニュアル操作でフォーカス送りを行う為に、複数段階のフォーカスパルス量をカメラに送る為の操作ボタン３１３を有したマニュアルフォーカス操作部材３１４が設置されている。
【００３７】
なお、フォーカスマスク表示機能の有効および無効はフォーカスマスク表示操作部材３１５により行う。
【００３８】
図３ｂは、コンピュータのディスプレイ上に表示されるライブビュー表示画面３１１の表示更新を行う為、カメラから取得したライブビュー画像３２１である。ライブビュー表示をさせる為の画像ファイル形式は、ｊｐｅｇ形式といった一般的な画像ファイル形式の画像ファイルのみならず、カメラから生成されたロスレス圧縮（可逆圧縮）形式の画像ファイルが使用可能である。また、ＹＵＶなどの画像データをカメラからコンピュータに転送しリモートライブビュー表示を行ってもよい。
【００３９】
カメラからコンピュータへ取得した画像ファイルまたは画像データのコントラスト評価をコンピュータ側で行い、フォーカス領域を検出する。
【００４０】
図３ｃは、図３ａにて示したライブビュー表示画面３１１に図３ｂのライブビュー画像のコントラスト評価結果からフォーカス領域を選択したパターン状に着色表示している状態を示している。フォーカスマスク操作部材３１５のフォーカスマスク表示ＯＮボタン３３２が有効になると、フォーカスマスク表示を行ったライブビュー表示画面３３１のような表示になる。
【００４１】
フォーカスマスク表示を行うための処理は、図４に示したフォーカスマスク設定画面４１０にてユーザが設定した設定値に従う。フォーカスマスク設定画面４１０の設定項目は、コントラスト評価のしきい値を設定するコントラスト評価しきい値設定部材４１１、カメラから受け取ったライブビュー画像のコントラスト評価枚数を決定するコントラスト評価枚数設定部材４１４、フォーカスマスク表示におけるフォーカスマスクの色を表示する表示部材４１５、フォーカスマスクのパターンを表示する表示部材４１６で構成されている。
【００４２】
コントラスト評価枚数設定部材４１４はフォーカスマスク領域の正確性を向上させるための評価枚数をユーザ決定するモード、カメラからライブビュー画像を受信する速度やフォーカスマスク領域の正確性を鑑みて自動でコントラスト評価枚数を決定するモードの２つのモードを選択するラジオボタン４１３が設置されている。
【００４３】
フォーカスマスク色の表示部材４１５をユーザがマウスクリックした場合、色を選択する選択ダイアログが表示され、ユーザがフォーカスマスクの色を選択できる。同様にフォーカスマスクパターン表示部材４１６をユーザがマウスクリックした場合もフォーカスマスクパターン選択ダイアログが表示され、ユーザがフォーカスマスクのパターンを選択することができる。
【００４４】
なお、フォーカスマスク表示の色の設定においては、色選択のダイアログにて透過率を設定する場合や、フォーカスマスク表示のパターンの設定において、パターンとしてテクスチャや画像を選択しても良い。
【００４５】
フォーカスマスク設定画面４１０上のＯＫボタン４１７の操作によりフォーカスマスク設定画面４１０で更新した設定値が決定され、ＣＡＮＣＥＬボタン４１８の操作により更新した設定値を破棄し、フォーカスマスク設定ダイアログを閉じる。
【００４６】
カメラから受け取ったライブビュー画像をコンピュータ側でコントラスト評価し、フォーカスマスク設定値のしきい値を超えた画素に対してフォーカスマスク設定に従って着色及びパターン適用し、図３ｃに示したライブビュー画像にフォーカスマスク表示したリモートライブビュー画面となるが、ライブビュー画像のコントラスト評価には時間がかかることと、カメラとコンピュータ間とのＵＳＢ通信の伝送線路状況による通信速度低下や無線通信において電波状況悪化などによる通信速度低下により、リモートライブビュー画面の表示更新速度が低下し、ひどいコマ落ちが発生する。
【００４７】
そこで、リモートライブビュー画面更新の低下を軽減するため、カメラから受け取ったライブビュー画像のコントラスト評価を間引いて行うことでリモートライブビュー画面更新の低下を起こさないようにする。
【００４８】
例えば、カメラとコンピュータをＵＳＢで接続した場合、１秒間に１５コマ前後リモートライブビュー画面を更新できるが、フォーカスマスクの評価時間が５００ｍｓ程度かかる場合、１秒間に受け取ったライブビュー画像の半数をコントラスト評価対象とすることで、フォーカスマスク表示を有効にすることによるコマ落ちを低減する事が可能である。さらに、無線でのカメラとコンピュータ間の接続で通信速度低下が発生した場合、受信状況を鑑みてコントラスト評価対象のライブビュー画像を減らすことでリモートライブビュー画面のコマ落ちを防止する。
【００４９】
１枚のライブビュー画像からコントラスト評価を行った場合、撮影対象の背景状況により、撮影対象ではないものまでフォーカスマスク表示してしまう場合が多々発生する。そこで、フォーカスマスク設定のコントラスト評価枚数設定に従い、過去に評価を行った複数枚のライブビュー画像のコントラスト評価結果を合わせて差分を取りコントラスト評価を行うことで、フォーカスマスク表示の精度を向上させる。また、フォーカスマスク設定のコントラスト評価枚数設定がＡＵＴＯだった場合、カメラとコンピュータ間の通信速度によるフォーカスマスク表示のコマ落ちを考慮し、過去に評価を行ったライブビュー画像のコントラスト評価結果の対象数を自動で決定する。
【００５０】
なお、コントラスト評価結果は評価枚数分コンピュータに保存しておく。
【００５１】
図５は本発明のフォーカスマスク表示制御フローチャートであって本プログラムはコンピュータにて実行する。
【００５２】
デジタルカメラ２は、インターフェース３８を介して、コンピュータ４０と接続される。コンピュータ４０は、デジタルカメラ２と通信を行い、デジタルカメラ２の内部の表１に相当する情報を得ることができる。
【００５３】
ステップＳ１０１でデジタルカメラ２およびコンピュータ４０を共に電源を入れ、通電させ動作可能な状態にする。  
【００５４】
ステップＳ１０２でコンピュータ４０からデジタルカメラ２へ、現在のコンピュータ４０の設定情報を通知して、デジタルカメラ２はコンピュータ４０の設定状態を受信する。
【００５５】
ステップＳ１０２でデジタルカメラ２からコンピュータ４０へ、現在のカメラ設定情報を通知し、コンピュータ４０はデジタルカメラ２の状態を受信する。
【００５６】
ステップＳ１０２でデジタルカメラ２から受信した設定情報とは、撮影モードの設定状態、ホワイトバランスの設定情報、ライブビュー状態などの各情報である。
【００５７】
デジタルカメラの設定情報はカメラの状態が撮影者による設定変更された場合、コンピュータ４０からのデジタルカメラ２への設定変更された場合により、デジタルカメラ２からコンピュータ４０へ更新通知される。
【００５８】
ステップＳ１０３では、コンピュータ４０にてリモートライブビューの開始をデジタルカメラ２へ通知し、デジタルカメラ２はライブビューを開始し、コンピュータ２はデジタルカメラ２からライブビュー画像を一定間隔で受信しディスプレイ４１のライブビュー表示画面３１１のライブビュー表示を更新する。
【００５９】
ステップＳ１０４では、ライブビュー画像をデジタルカメラからコンピュータが受信したか否かを判断し、その答えが肯定（ＹＥＳ）の場合はステップＳ１０５に進み、その答えが否定（ＮＯ）のときは、ステップＳ１０９へ進む。
【００６０】
ステップＳ１０５では、ライブビュー表示画面３１１にフォーカスマスク表示機能が有効になっているかどうかを判断し、その答えが肯定（ＹＥＳ）の場合はステップＳ１０６に進み、その答えが否定（ＮＯ）のときは、ステップＳ１０９へ進む。
【００６１】
ステップＳ１０６では、デジタルカメラとコンピュータの通信状況からコントラスト評価を行うか否かを判断し、その答えが肯定（ＹＥＳ）の場合はステップＳ１０７に進み、その答えが否定（ＮＯ）のときは、ステップＳ１０８へ進む。
【００６２】
ステップＳ１０７ではコントラスト評価結果から算出したフォーカスマスク領域をライブビュー画像に表示しライブビュー表示画面３１１のライブビュー画像を更新する。
【００６３】
ステップＳ１０８ではデジタルカメラから受信したライブビュー画像のコントラスト評価をおこなう。コントラスト評価方法はコントラスト評価設定値の評価枚数設定から前回評価したコントラスト評価値と照らし合わせて評価結果を算出し、ステップＳ１０９に進む。
【００６４】
ステップＳ１０９では、デジタルカメラ２側のライブビューの終了操作または、コンピュータ４０にてユーザがリモートライブビューの終了操作を行ったことを判断し、その答えが肯定（ＹＥＳ）の場合はステップＳ１０９に進み、その答えが否定（ＮＯ）のときは、ステップＳ１０４へ戻りユーザ操作（オペレーション）を判断する。
【００６５】
ステップＳ１１０では、操作・表示パネル３０１閉じデジタルカメラ２へライブビューの終了を通知し、リモートライブビューを終了する。
【００６６】
ステップＳ１１１にて通信が切断された場合、ステップＳ１１２にて電源をＯＦＦし終了する。
【００６７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７０】
その場合、プログラムの機能を有していれば、オブジェクトコード、インタプリタにより実行されるプログラム、ＯＳに供給するスクリプトデータ等、プログラムの形態を問わない。
【００７１】
プログラムを供給するための記録媒体としては、例えば、ハードディスク、磁気テープ等の磁気記録媒体、光／光磁気記憶媒体、不揮発性の半導体メモリーでもよい。
【００７２】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００７３】
１  交換可能なレンズ
２  レンズ交換可能なデジタルカメラ本体
２３撮像素子
３３画像処理ＩＣ
３７光学補正データを格納するメモリー
３８外部記憶手段や、コンピュータとデジタルカメラを接続するためのインターフェース
３９外部記憶手段
４０コンピュータ
４１ディスプレイ
【図１】
2012099888.tif 000003
【図２】
2012099888.tif 000004
【図３】
2012099888.tif 000005
【図４】
2012099888.tif 000006
【図５】
2012099888.tif 000007